(57)【要約】【課題】  発光不良を防止しつつ発光輝度を精度よく制御し、輝度寿命を改善し、さらに素子絶縁部での電極短絡を防止する。【解決手段】  走査線Ａ（１）〜Ａ（ｍ）と信号線Ｂ（１）〜Ｂ（ｎ）との各交点に、有機ＥＬ素子Ｅ（１，１）〜Ｅ（ｍ，ｎ）をマトリクス状に配置する。走査ドライバＩＣ８は、順次選択した走査線Ａをグランドに接続し、非選択の走査線Ａを逆バイアス電圧Ｖcc1 側に切り替える。信号ドライバＩＣ４は、発光させるＥＬ素子Ｅが接続された信号線Ｂを電流源６に接続し、他の信号線Ｂをグランドに接続する。各フレームには、全ての走査スイッチ９を逆バイアス電圧Ｖcc側に切り替えるとともに、全ての駆動スイッチ５をグランド側に切り替えて、全てのＥＬ素子Ｅに逆バイアス電圧Ｖccを印加する期間を設ける。バイアス電圧Ｖcc1 は、電流源６からＥＬ素子Ｅに駆動電流を供給した場合にＥＬ素子Ｅが定常的に負担することとなる電圧にほぼ等しく設定する。【選択図】  図１
2005091717.tif 000002
【特許請求の範囲】
【請求項１】
複数の走査電極と信号電極の各交点に発光素子がマトリクス状に配置されてなる表示パネルと、
前記発光素子の発光を停止させる発光停止期間を設け、その発光停止期間においては前記発光素子に第１の逆バイアス電圧を印加し、一方、発光期間においては非発光の発光素子に第２の逆バイアス電圧を印加するように構成された陽極側駆動部および陰極側駆動部とを備え、
前記第２の逆バイアス電圧は、前記第１の逆バイアス電圧と異なる電圧に設定されていることを特徴とする表示装置。
【請求項２】
前記陽極側駆動部および陰極側駆動部は、前記発光停止期間において、前記走査電極に第１の逆バイアス電圧を印加するとともに前記信号電極をグランドに接続することを特徴とする請求項１記載の表示装置。
【請求項３】
前記陽極側駆動部および陰極側駆動部は、前記発光期間において、選択した走査電極をグランドに接続し、非選択の走査電極に第２の逆バイアス電圧を印加するとともに、発光させる発光素子の信号電極を駆動電源に接続し、非発光の発光素子の信号電極をグランドに接続することを特徴とする請求項１または２記載の表示装置。
【請求項４】
前記陽極側駆動部および陰極側駆動部は、各フレームについて前記発光停止期間を設けることを特徴とする請求項１ないし３の何れかに記載の表示装置。
【請求項５】
前記発光停止期間は、フレームの終了後、次のフレームが始まる前に設けることを特徴とする請求項１ないし４の何れかに記載の表示装置。
【請求項６】
前記信号電極に接続される駆動電源は定電流源であることを特徴とする請求項１ないし５の何れかに記載の表示装置。
【請求項７】
前記第２の逆バイアス電圧は、前記定電流源から前記発光素子に駆動電流を供給した場合に、前記発光素子が定常的に負担することとなる電圧にほぼ等しく設定されていることを特徴とする請求項６記載の表示装置。
【請求項８】
前記駆動された発光素子が定常的に負担することとなる電圧をＶＥ、走査電極の数をｍとすれば、前記第２の逆バイアス電圧Ｖcc1 はｍ／（ｍ−１）・ＶＥに等しく設定されていることを特徴とする請求項７記載の表示装置。
【請求項９】
前記駆動された発光素子が定常的に負担することとなる電圧をＶＥ、前記発光素子の発光しきい値電圧をＶＬとすれば、前記第２の逆バイアス電圧Ｖcc1 は（ＶＥ−ＶＬ）よりも高く設定されていることを特徴とする請求項１ないし８の何れかに記載の表示装置。
【請求項１０】
前記陽極側駆動部および陰極側駆動部は、水平走査周期ごとに走査電極および信号電極を同電位に設定するリセット期間を設けることを特徴とする請求項１ないし９の何れかに記載の表示装置。
【請求項１１】
前記陽極側駆動部および陰極側駆動部は、前記リセット期間において走査電極および信号電極をグランド電位とすることを特徴とする請求項１０記載の表示装置。
【請求項１２】
前記第１の逆バイアス電圧は、前記第２の逆バイアス電圧より大きいことを特徴とする請求項１ないし１１の何れかに記載の表示装置。
【請求項１３】
前記第１の逆バイアス電圧は、前記発光素子の自己修復が発生する電圧よりも大きく設定されていることを特徴とする請求項１ないし１２の何れかに記載の表示装置。
【請求項１４】
前記第１の逆バイアス電圧は、前記定電流源を構成する電源電圧に等しいことを特徴とする請求項６記載の表示装置。
【請求項１５】
前記陽極側駆動部および陰極側駆動部は、各走査電極に接続された走査スイッチを切り替えることにより前記第１および第２の逆バイアス電圧の切り替えを行うことを特徴とする請求項１ないし１４の何れかに記載の表示装置。
【請求項１６】
前記陽極側駆動部および陰極側駆動部は、各走査電極に接続された走査スイッチに供給する電圧を切り替えることにより、前記第１および第２の逆バイアス電圧の切り替えを行うことを特徴とする請求項１ないし１４の何れかに記載の表示装置。
【請求項１７】
前記陽極側駆動部および陰極側駆動部は、各水平走査周期において前記発光素子に供給する駆動電流の時間幅を制御することにより階調制御を実行するように構成されていることを特徴とする請求項１ないし１６の何れかに記載の表示装置。
【請求項１８】
前記陽極側駆動部および陰極側駆動部は、各水平走査周期において前記発光素子に供給する駆動電流の大きさを制御することにより階調制御を実行するように構成されていることを特徴とする請求項１ないし１６の何れかに記載の表示装置。
【請求項１９】
前記発光素子は有機ＥＬ素子であることを特徴とする請求項１ないし１８の何れかに記載の表示装置。
【請求項２０】
複数の走査電極と信号電極の各交点に発光素子がマトリクス状に配置されてなる表示パネルの駆動方法において、
前記発光素子の発光を停止させる発光停止期間においては前記発光素子に第１の逆バイアス電圧を印加し、その後の発光期間においては非発光の発光素子に前記第１の逆バイアス電圧とは異なる大きさの第２の逆バイアス電圧を印加することを特徴とする表示パネルの駆動方法。
【請求項２１】
前記発光停止期間において、前記走査電極に第１の逆バイアス電圧を印加するとともに前記信号電極をグランドに接続することを特徴とする請求項２０記載の表示パネルの駆動方法。
【請求項２２】
前記発光期間において、選択した走査電極をグランドに接続し、非選択の走査電極に第２の逆バイアス電圧を印加するとともに、発光させる発光素子の信号電極を駆動電源に接続し、非発光の発光素子の信号電極をグランドに接続することを特徴とする請求項２０または２１記載の表示パネルの駆動方法。
【請求項２３】
各フレームについて前記発光停止期間を設けることを特徴とする請求項２０ないし２２の何れかに記載の表示パネルの駆動方法。
【請求項２４】
前記発光停止期間は、フレームの終了後、次のフレームが始まる前に設けることを特徴とする請求項２０ないし２３の何れかに記載の表示パネルの駆動方法。
【請求項２５】
前記信号電極に接続される駆動電源は定電流源であることを特徴とする請求項２０ないし２４の何れかに記載の表示パネルの駆動方法。
【請求項２６】
前記第２の逆バイアス電圧は、前記定電流源から前記発光素子に駆動電流を供給した場合に、前記発光素子が定常的に負担することとなる電圧にほぼ等しく設定されていることを特徴とする請求項２５記載の表示パネルの駆動方法。
【請求項２７】
前記駆動された発光素子が定常的に負担することとなる電圧をＶＥ、走査電極の数をｍとすれば、前記第２の逆バイアス電圧Ｖcc1 はｍ／（ｍ−１）・ＶＥに等しく設定されていることを特徴とする請求項２６記載の表示パネルの駆動方法。
【請求項２８】
前記駆動された発光素子が定常的に負担することとなる電圧をＶＥ、前記発光素子の発光しきい値電圧をＶＬとすれば、前記第２の逆バイアス電圧Ｖcc1 は（ＶＥ−ＶＬ）よりも高く設定されていることを特徴とする請求項２０ないし２７の何れかに記載の表示パネルの駆動方法。
【請求項２９】
水平走査周期ごとに走査電極および信号電極を同電位に設定するリセット期間を設けることを特徴とする請求項２０ないし２８の何れかに記載の表示パネルの駆動方法。
【請求項３０】
前記リセット期間において走査電極および信号電極をグランド電位とすることを特徴とする請求項２９記載の表示パネルの駆動方法。
【請求項３１】
前記第１の逆バイアス電圧は、前記第２の逆バイアス電圧より大きいことを特徴とする請求項２０ないし３０の何れかに記載の表示パネルの駆動方法。
【請求項３２】
前記第１の逆バイアス電圧は、前記発光素子の自己修復が発生する電圧よりも大きく設定されていることを特徴とする請求項２０ないし３１の何れかに記載の表示パネルの駆動方法。
【請求項３３】
前記第１の逆バイアス電圧は、前記定電流源を構成する電源電圧に等しいことを特徴とする請求項２５記載の表示パネルの駆動方法。
【請求項３４】
各走査電極に接続された走査スイッチを切り替えることにより前記第１および第２の逆バイアス電圧の切り替えを行うことを特徴とする請求項２０ないし３３の何れかに記載の表示パネルの駆動方法。
【請求項３５】
各走査電極に接続された走査スイッチに供給する電圧を切り替えることにより、前記第１および第２の逆バイアス電圧の切り替えを行うことを特徴とする請求項２０ないし３３の何れかに記載の表示パネルの駆動方法。
【請求項３６】
各水平走査周期において前記発光素子に供給する駆動電流の時間幅を制御することにより階調制御を実行するように構成されていることを特徴とする請求項２０ないし３５の何れかに記載の表示パネルの駆動方法。
【請求項３７】
各水平走査周期において前記発光素子に供給する駆動電流の大きさを制御することにより階調制御を実行するように構成されていることを特徴とする請求項２０ないし３５の何れかに記載の表示パネルの駆動方法。
【請求項３８】
前記発光素子は有機ＥＬ素子であることを特徴とする請求項２０ないし３７の何れかに記載の表示パネルの駆動方法。
【発明の詳細な説明】
【技術分野】
【０００１】
マトリクス状に配置される複数の発光素子を備えた表示パネルに画像を表示させる表示装置および表示パネルの駆動方法に関する。
【背景技術】
【０００２】
図１３は、従来の有機ＥＬ(Electro Luminescence) 素子を用いた表示パネルの駆動装置を示している。表示パネル１において、複数の走査線Ａ（１）〜Ａ（ｍ）（ｍは例えば６４）と複数の信号線Ｂ（１）〜Ｂ（ｎ）（ｎは例えば１２８）との各交点には、走査線Ａ側を陰極、信号線Ｂ側を陽極として有機ＥＬ素子Ｅ（１，１）〜Ｅ（ｍ，ｎ）がマトリクス状に配置されている。ＥＬ素子Ｅの等価回路は、ダイオード特性からなる発光エレメントと、この発光エレメントに並列接続された寄生容量とを用いて表すことができる。図１３においては、ＥＬ素子Ｅをダイオードの記号により表している。
【０００３】
走査ドライバＩＣ２は、各走査線Ａ（１）〜Ａ（ｍ）について設けられた走査スイッチ３（１）〜３（ｍ）を一定周期で切り替えて、非選択の状態で逆バイアス電圧Ｖcc側に接続されている走査線Ａ（１）〜Ａ（ｍ）を順次グランド側に接続するようになっている。また、信号ドライバＩＣ４は、信号線Ｂ（１）〜Ｂ（ｎ）ごとに設けられた駆動スイッチ５（１）〜５（ｎ）を上記走査に同期して順次切り替えて、ＥＬ素子Ｅの発光／非発光に応じて信号線Ｂ（１）〜Ｂ（ｎ）をそれぞれ電流源６（１）〜６（ｎ）またはグランドに接続するようになっている。この構成により、任意の交点位置のＥＬ素子Ｅを発光させることができる。
【０００４】
例えば、ＥＬ素子Ｅ（１，２）とＥＬ素子Ｅ（１，ｎ−１）とを発光させる場合には、図１３に示すように、走査スイッチ３（１）をグランド側に切り替えるとともに、走査スイッチ３（２）〜３（ｎ）を逆バイアス電圧Ｖcc側に切り替える。そして、駆動スイッチ５（１）、５（ｎ−１）をそれぞれ電流源６（１）、６（ｎ−１）側に切り替えるとともに、駆動スイッチ５（２）〜５（ｎ−２）、５（ｎ）をグランド側に切り替える。その結果、ＥＬ素子Ｅ（１，１）およびＥ（１，ｎ−１）のみに駆動電流が供給されて発光するようになる。このような走査を高速で行うことにより、任意の位置のＥＬ素子Ｅを発光させ、人間の目には複数のＥＬ素子Ｅが同時に発光しているように視認させることにより表示パネル１に画像データを表示させることができる。
【０００５】
図１４は、走査線Ａ（１）、Ａ（２）、Ａ（ｍ−１）、Ａ（ｍ）の電圧波形を示している。以下、このような電圧波形とする理由について説明する。
発光パネル１は、透明基板の上に陽極、発光層、陰極が順次積層された構成を有している。そして、製造工程で塵の付着などによって発光層の厚みが薄い箇所または発光層が存在せず陽極と陰極が接触する箇所ができると、そこでリーク電流が発生し、他の正常な発光層に流れる電流が減少して発光パネル１全体の輝度が低下するという問題がある。
【０００６】
この発光不良の問題を解決するため、特許文献１には、走査線Ａ（１）〜Ａ（ｍ）を一通り走査した後に期間ＨＢを設け、この期間では全てのＥＬ素子Ｅ（１，１）〜Ｅ（ｍ，ｎ）に対して発光時に印加する電圧とは逆方向の電圧（上述の逆バイアス電圧Ｖcc）を印加するようにした駆動方法が示されている。この駆動方法によると、期間ＨＢにおいて逆バイアス電圧Ｖccによって上記不良箇所にリーク電流が集中して流れ、発光層が気化した膨張圧により陰極が湾曲したり、さらに陰極が破断屈曲する。このような陰極部分は、発光はしないもののリーク電流も発生しないため、他の正常な発光層における発光不良を防止することができる。
【０００７】
また、ＥＬ素子Ｅは上述したように寄生容量を有しているため、走査線Ａの切り替え時に、ＥＬ素子Ｅの寄生容量に蓄積されている電荷の影響により、切り替えからＥＬ素子Ｅが発光するまでの立ち上がり速度が低下して、高速走査を行えないという問題もある。この問題を解決するため、特許文献２には、走査線Ａ（１）〜Ａ（ｍ）の各走査が終了した後次の走査に移行する前のリセット期間Ｒ１〜Ｒｍにおいて、全ての走査線Ａ（１）〜Ａ（ｍ）と信号線Ｂ（１）〜Ｂ（ｎ）をグランドに接続し、寄生容量に蓄積された電荷を放電する技術が示されている。
【０００８】
さらに、ＥＬ素子Ｅに印加する逆バイアスＶccを一定にすると、輝度の調整範囲が狭くなったり、階調のリニアリティが悪くなったりする問題があり、この問題を解決するため、発光期間中の走査線Ａにおいて、階調制御のためのパルス幅あるいは電流値に従って、非選択の走査線に印加する逆バイアス電圧値を調整できるようにする技術が特許文献３に示されている。
【特許文献１】特開平１１−３０５７２７号公報
【特許文献２】特開平９−２３２０７４号公報
【特許文献３】特開２０００−２０００６６号公報
【発明の開示】
【発明が解決しようとする課題】
【０００９】
本願の発明者らは、特許文献１に示されている手段を採用する場合、発光不良を有効に防止するためには、逆バイアス電圧Ｖccをある値以上の大きさに設定することが必要であることを実験により明らかにした。図１５は、逆バイアス電圧Ｖccと発光不良画素の発生確率との相関関係を示す実験結果である。各逆バイアス電圧Ｖccの下で１０００時間動作させた後の発光不良画素の発生確率を示している。これによれば、発光不良の発生を抑制するには、逆バイアス電圧Ｖccを２０Ｖ程度にまで高める必要がある。しかし、逆バイアス電圧Ｖccが大きくなると新たな問題が発生する。この問題について、図１６ないし図２２も参照しながら以下に説明する。
【００１０】
（１）階調制御特性の悪化
図１６および図１７は、発光させるＥＬ素子Ｅに関して、（ａ）走査線Ａの電圧、（ｂ）電流源６から信号線Ｂに出力される電流、（ｃ）発光輝度の波形を示している。図１６は、駆動電流のパルス幅を制御することにより減光を実行する場合を示しており、図１７は、駆動電流の大きさを制御することにより減光を実行する場合を示している。（ｂ）電流波形および（ｃ）発光輝度波形において、実線は高輝度発光時の波形を示しており、破線は低輝度発光時の波形を示している。
【００１１】
図１６に示すように、例えば期間ＲＢから期間Ｈ１（図１４参照）に切り替わると、ＥＬ素子Ｅの（瞬時的な）発光輝度が本来の目標輝度を超えて急峻に立ち上がり、その後時間の経過とともに徐々に目標輝度に整定するような輝度特性を呈する。ＥＬ素子Ｅの発光輝度は、駆動電流に比例することから、ＥＬ素子Ｅに流れる実際の駆動電流もこれに近似した波形を有していることになる。この現象は、逆バイアス電圧Ｖccが高いほど顕著に現れる。
【００１２】
この原因は、期間ＲＢから期間Ｈ１に移行すると、各信号線Ｂに接続された例えば６４個のＥＬ素子Ｅの寄生容量間で電荷移動が発生し、発光するＥＬ素子Ｅに過渡的に過大な電圧が印加されるためである。電流源６の電流駆動能力は、このような過渡現象を瞬時に整定させるだけの能力は有していない。切り替え直後の（瞬時的な）発光輝度が高いため、平均的な発光輝度（つまり人間の目に視認される輝度）を下げようとしてパルス幅を小さくしても、そのパルス幅の減少割合ほどには輝度は下がらず、１／５０程度の高い減光比を達成することができず、リニアな階調制御も困難となる。
【００１３】
このような問題は、図１７に示すように、駆動電流の大きさを制御することにより階調制御を行う場合にも発生する。すなわち、上記切り替え直後の過渡現象は、電流源６の出力電流とは無関係に発生するため、電流源６の出力電流の大きさを低減しても、切り替え直後のＥＬ素子Ｅの発光輝度は変化せず、やがて過渡状態が整定した時点でようやく低減した目標輝度に達する。従って、この場合も高い減光比を達成できず、階調制御特性が悪化する。
【００１４】
（２）絶縁部で生じる陰極と陽極の短絡
１つの信号線Ｂに接続されたｍ個のＥＬ素子Ｅのうちｋ個が非発光である場合、その非発光のＥＬ素子Ｅについては１フレーム中にｋ−１回の逆バイアスパルスがかかり、発光するＥＬ素子Ｅについては１フレーム中にｋ回の逆バイアスパルスが印加される。図１８と図１９は，隣接する２つのＥＬ素子Ｅの間隙部分の断面構造を示している。この間隙部分には絶縁部が設けられている。
【００１５】
本願の発明者らは、逆バイアスパルスのかかる回数が増えるに従って絶縁部にかかるダメージが大きくなり、図１９に示すような陰極と陽極の短絡が発生する確率が高くなることを明らかにした。図２０は、１フレーム中における逆バイアスパルスの印加回数と上記短絡の発生確率との関係を示す実験結果である。しかし、上述した階調制御特性の悪化を防ぐ条件と、この陰極と陽極の短絡を防ぐ条件とが相反しているため、従来の技術ではこれらの問題を同時に解決するような駆動は実現できない。
【００１６】
（３）輝度半減寿命の低下
図２１は、表示パネル１の使用初期におけるＥＬ素子Ｅの発光輝度の応答特性（実線）と、使用による経時劣化が生じた後の発光輝度の応答特性（破線）とを示している。また、図２２は、ＥＬ素子Ｅの発光輝度の経時変化を示しており、実線は上述した切り替え時の過渡状態が生じていない場合（すなわち理想的な定電流駆動をした場合）の相対輝度を表しており、破線は上述した切り替え時の過渡状態が生じている場合の相対輝度を表している。
【００１７】
ＥＬ素子Ｅは、動作時間が経過するに従って発光効率（電流−輝度特性）が悪化し、同一駆動電流に対する発光輝度が低下する。従って、たとえＥＬ素子Ｅを定電流駆動していた場合でも、ある程度の輝度の低下は避けられない（図２２の実線参照）。さらに、ＥＬ素子Ｅは、発光動作時間が経過するに従って徐々に高抵抗化する。上述した切り替え時の過渡状態が生じると、その過渡状態が整定するまでの期間においてＥＬ素子Ｅは定電流駆動状態ではなく電圧駆動状態となるため、上記高抵抗化によりＥＬ素子Ｅに流れる駆動電流が一層減少してしまう（図２１、図２２の破線参照）。その結果、発光効率の低下のみならず高抵抗化の直接的な影響を受け、輝度半減寿命を著しく低下させてしまう。
【００１８】
本発明は上記事情に鑑みてなされたもので、その目的は、発光不良を防止しながら、発光輝度を精度よく制御することができるだけでなく、絶縁部での陽極と陰極の短絡を防止するとともに、ＥＬ素子の高抵抗化による輝度半減寿命を極力延ばすことができる表示装置および表示パネルの駆動方法を提供することにある。
【課題を解決するための手段】
【００１９】
請求項１、２０に記載した手段によれば、発光素子の発光を停止させる期間を設け、その発光停止期間においては発光素子に第１の逆バイアス電圧を印加するので発光層の厚みが薄い箇所または陽極と陰極とが接触している箇所にリーク電流が集中して流れ、当該不良部分の陰極を破断屈曲等させてリーク電流を抑制することができる。これにより、表示パネル全体としての発光不良を防ぐことができる。この第１の逆バイアス電圧としては、上記リーク電流を抑制するのに必要となる十分な大きさの電圧とすればよい。
【００２０】
一方、発光期間においては、非発光の発光素子に第２の逆バイアス電圧を印加するので、非選択の走査電極に接続された発光素子には、第２の逆バイアス電圧と駆動電源（電流源または電圧源）の出力端電圧との差電圧に等しい逆バイアス電圧が印加される。
【００２１】
本手段では、この第２の逆バイアス電圧を上記第１の逆バイアス電圧と異なる電圧、例えば走査電極または信号電極について接続状態が切り替わった直後における過渡現象の発生を抑制するのに適当な電圧に設定することができるので、切り替え直後の発光素子に対する過大または過小な電圧印加状態の発生を回避でき、切り替え直後から目標とする発光輝度を得ることができるようになる。
【００２２】
また、第２の逆バイアス電圧は第１の逆バイアス電圧より小さく設定できるようになり、第１の逆バイアス電圧がかかる回数を１フレームに１回と抑えることができるので、発光素子の絶縁部での陽極と陰極の短絡現象を抑制することができる。その結果、発光不良を防止しつつ、発光輝度を精度よく制御し、さらに絶縁部での陽極と陰極の短絡現象を抑制することができる。
【００２３】
請求項２、３、２１、２２に記載した手段によれば、発光停止期間においては、走査電極に第１の逆バイアス電圧を印加するとともに信号電極をグランドに接続し、発光期間においては、選択した走査電極をグランドに接続し、非選択の走査電極に第２の逆バイアス電圧を印加するとともに、発光させる発光素子の信号電極を駆動電源に接続し、非発光の発光素子の信号電極をグランドに接続するように駆動制御する。
【００２４】
請求項４、５、２３、２４に記載した手段によれば、各フレームについて発光停止期間を備えており、その期間内においては走査電極に対し、表示パネル内の不良箇所のリーク電流を抑制するのに必要となる十分な大きさの第１の逆バイアス電圧を印加できるので、発光不良を確実に防止することができる。この場合、発光停止期間を、フレームの終了後、次のフレームが始まる前に設けるとよい。
【００２５】
請求項６、２５に記載した手段によれば、発光素子を発光させるために定電流源を用いているので、発光素子を定電流駆動することができ、電源電圧の変動や経時変化による発光素子の高抵抗化にかかわらず安定した輝度を得ることができる。特に本手段によれば、切り替え直後の過渡現象の発生が抑制されているので、切り替え直後から定電流駆動を行うことができ、発光素子の高抵抗化の影響を受けにくく、従来構成の表示装置に対し輝度半減寿命を延ばすことができる。
【００２６】
請求項７、２６に記載した手段によれば、第２の逆バイアス電圧は、電流源から発光素子に駆動電流を供給した場合に、発光素子が定常的に負担することとなる電圧にほぼ等しく設定されている。このように設定すると、例えば水平走査周期ごとに全ての走査電極および信号電極をグランドに接続するリセット期間を設けた場合、そのリセット期間から次の走査電極の走査期間に切り替わった時に、発光素子の寄生容量間で生じる過渡現象の発生を抑えることができる。
【００２７】
すなわち、各信号電極に着目すると、リセット期間において発光素子の寄生容量には電荷の蓄積はなく、次の走査期間への切り替えにより、選択された走査電極だけがグランドに接続され、その他の非選択の走査電極は全て第２の逆バイアス電圧側に接続されるため、切り替え直後の過渡的な信号電極の電圧は第２の逆バイアス電圧にほぼ等しくなる。従って、この第２の逆バイアス電圧を上記発光素子が定常的に負担することとなる電圧にほぼ等しく設定すれば、発光させる発光素子には切り替え直後から定常的な電圧が印加され、切り替え直後から定電流駆動が可能となって予定した発光輝度を得ることができるようになる。
【００２８】
請求項８、２７に記載した手段によれば、上記リセット期間を設けた場合、走査電極の数をｍ、第２の逆バイアス電圧をＶcc1 とすれば、切り替え直後の過渡的な信号電極の電圧は（ｍ−１）／ｍ・Ｖcc1 となる。従って、駆動された発光素子が定常的に負担することとなる電圧をＶＥとすれば、第２の逆バイアス電圧Ｖcc1 はｍ／（ｍ−１）・ＶＥに等しく設定すればよい。なお、走査電極の数が多い場合には、第２の逆バイアス電圧Ｖcc1 を近似的にＶＥに設定してもよい。
【００２９】
請求項９、２８に記載した手段によれば、発光素子のしきい値電圧をＶＬとして、第２の逆バイアス電圧Ｖcc1 を（ＶＥ−ＶＬ）よりも高く設定したので、非選択の走査電極に接続された発光素子にはしきい値電圧ＶＬ以上の電圧が印加されることがなく、誤発光を防ぐことができる。
【００３０】
請求項１０、１１、２９、３０に記載した手段によれば、水平走査周期ごとに走査電極および信号電極を同電位に設定するリセット期間を設けているので、次の走査周期への切り替え前に発光素子の寄生容量に蓄積されている電荷を放電することができ、切り替えから発光素子が発光するまでの立ち上がり時間を短縮して高速走査をすることが可能になる。リセット期間においては、走査電極および信号電極をグランド電位とするとよい。
【００３１】
請求項１２、３１に記載した手段によれば、第１の逆バイアス電圧は、第２の逆バイアス電圧より大きいので、発光不良を防止しつつ、発光輝度を精度よく制御し、さらに絶縁部での陽極と陰極の短絡現象を抑制することができる。
【００３２】
請求項１３、３２に記載した手段によれば、第１の逆バイアス電圧は、発光素子の自己修復が発生する電圧よりも大きく設定されているので、発光層の厚みが薄い箇所または陽極と陰極とが接触している箇所にリーク電流が集中して流れ、当該不良部分の陰極を破断屈曲等させてリーク電流を抑制することができる。
【００３３】
請求項１４、３３に記載した手段によれば、第１の逆バイアス電圧は定電流源を構成する電源電圧に等しいので、さらに電圧変換手段等を設ける必要がなくコストダウンが図れる。
【００３４】
請求項１５、１６、３４、３５に記載した手段によれば、各走査電極に接続された走査スイッチを切り替えることまたは各走査電極に接続された走査スイッチに供給する電圧を切り替えることにより第１および第２の逆バイアス電圧の切り替えを行うことができる。
【００３５】
請求項１７、３６に記載した手段によれば、各水平走査周期において駆動電源から発光素子に供給する駆動電流の時間幅を変化させることにより、その変化に対応して（例えば時間幅に比例して）発光輝度を制御することができる。
【００３６】
請求項１８、３７に記載した手段によれば、各水平走査周期において駆動電源から発光素子に供給する駆動電流の大きさを変化させることにより、その変化に対応して（例えば駆動電流の大きさに比例して）発光輝度を制御することができる。
【００３７】
請求項１９、３８に記載した手段によれば、駆動電流または印加電圧に応じて発光輝度が変化する有機ＥＬ素子について、発光輝度を精度よく制御することができる。また、経時劣化により高抵抗化する特性を有する有機ＥＬ素子について、輝度半減寿命を極力延ばすことができる。
【発明を実施するための最良の形態】
【００３８】
（第１の実施形態）
以下、本発明を有機ＥＬ素子に適用した第１の実施形態について図１ないし図９を参照しながら説明する。なお、図１ないし図４において図１３と同一構成部分には同一符号を付して説明を省略し、以下異なる部分について説明する。
図１において、表示装置７の走査ドライバＩＣ８（陰極側駆動部に相当）は、各走査線Ａ（１）〜Ａ（ｍ）について設けられた走査スイッチ９（１）〜９（ｍ）を一定周期（水平走査周期）で切り替えて、各走査線Ａ（１）〜Ａ（ｍ）に逆バイアス電圧Ｖcc1 （第２の逆バイアス電圧に相当）、逆バイアス電圧Ｖcc（第１の逆バイアス電圧に相当）またはグランド電圧（０Ｖ）を印加するようになっている。
【００３９】
また、制御部１０は、表示パネル１に画像を表示させるための画像データに応じて、信号ドライバＩＣ４（陽極側駆動部に相当）および走査ドライバＩＣ８を制御するもので、例えばマイクロコンピュータにより構成されている。なお、走査線Ａ（１）〜Ａ（ｍ）は本発明でいう走査電極に相当し、信号線Ｂ（１）〜Ｂ（ｎ）は信号電極に相当し、ＥＬ素子Ｅ（１，１）〜Ｅ（ｍ，ｎ）は発光素子に相当する。
【００４０】
次に、本実施形態の作用について図２ないし図９も参照しながら説明する。
図５は、走査線Ａ（１）、Ａ（２）、Ａ（ｍ−１）、Ａ（ｍ）の電圧波形を示すもので、ここに示されていない走査線Ａ（３）〜Ａ（ｍ−２）についても同様の電圧波形となる。また、この図５において、期間Ｒ２と期間Ｈｍ−１との間には期間Ｈ３、Ｒ３、…、Ｈｍ−２、Ｒｍ−２が存在するが、これらの期間については省略されている。図中、ＴＦはフレーム周期、ＴＨは走査周期、ＴＲはリセット時間である。
【００４１】
図１ないし図４は、それぞれ図５に示す期間Ｈ１、期間Ｒ１、期間Ｈｍ、期間ＨＢにおける走査スイッチ９と駆動スイッチ５の切替状態を示している。これ以外の期間については特に図示していないが、リセット期間Ｒ２〜Ｒｍ、ＲＢの切替状態は全て期間Ｒ１の切替状態と同じであり、期間Ｈ２〜Ｈｍ−１の切替状態は期間Ｈ１または期間Ｈｍと同様となる。
【００４２】
既に説明したように、１フレームの最後に期間ＨＢを設けて表示パネル１の発光不良の発生を防止している。この期間では、図４に示すように走査スイッチ９（１）〜９（ｍ）を全て逆バイアス電圧Ｖcc側に切り替えるとともに、駆動スイッチ５（１）〜５（ｎ）を全てグランド側に切り替えて、全てのＥＬ素子Ｅ（１，１）〜Ｅ（ｍ，ｎ）に逆バイアス電圧Ｖccを印加している。この逆バイアス電圧Ｖccは、リーク電流を抑制するのに必要となる十分な大きさの電圧とすればよい。例えば、発明者の実験データ（図１５）によると、逆バイアス電圧Ｖccは２０Ｖとすればよい。
【００４３】
また、各走査期間への切り替えからＥＬ素子Ｅが発光するまでの立ち上がり速度を高めるため、期間Ｈ１〜Ｈｍおよび期間ＨＢについてそれぞれリセット期間Ｒ１〜ＲｍおよびＲＢを設けている。これらの期間では、図２に示すように走査スイッチ９（１）〜９（ｍ）および駆動スイッチ５（１）〜５（ｎ）を全てグランド側に切り替えて、ＥＬ素子Ｅ（１，１）〜Ｅ（ｍ，ｎ）の寄生容量の蓄積電荷を放電させている。
【００４４】
続いて、期間ＲＢから期間Ｈ１への切り替えについて説明する。
図６は、走査線Ａ（１）〜Ａ（ｍ）および信号線Ｂ（２）ついての切り替えの前後の状態を示すもので、ＥＬ素子Ｅ（１，２）〜Ｅ（ｍ，２）はその寄生容量Ｃを表すコンデンサの記号で表記している。（ａ）は期間ＲＢを示しており、上述したようにＥＬ素子Ｅ（１，２）〜Ｅ（ｍ，２）の寄生容量の電荷は０となる。この状態から（ｂ）に示す期間Ｈ１に切り替えられると、走査される走査線Ａ（１）のみがグランド電位に保持され、その他の走査線Ａ（２）〜Ａ（ｍ）には逆バイアス電圧Ｖcc1 が与えられる。この切り替え直後の信号線Ｂ（２）の電圧Ｖｃは、以下の（１）式のようになる。
【００４５】
Ｖｃ＝（ｍ−１）／ｍ・Ｖcc1       …（１）
ここで、走査線の数ｍは例えば６４に設定されているため、上記（１）式は次の（２）式のように近似できる。
Ｖｃ≒Ｖcc1                       …（２）
【００４６】
電流源６（２）からＥＬ素子Ｅ（１，２）に駆動電流を供給した状態で十分な時間が経過した時に当該ＥＬ素子Ｅ（１，２）が定常的に負担することとなる電圧をＶＥとすれば、上記（１）式または（２）式で示される電圧ＶｃがＶＥに等しくなる条件の下で、切り替え時に生じる過渡現象を最も抑制することができる。この条件を満たす逆バイアス電圧Ｖcc1 は、次の（３）式または近似的に（４）式となる。
【００４７】
Ｖcc1 ＝ｍ／（ｍ−１）・ＶＥ      …（３）
Ｖcc1 ≒ＶＥ                      …（４）
ＶＥは通常の有機ＥＬ素子では１３Ｖ程度であり、この場合、Ｖcc1 は１３Ｖ程度を印加することとなる。Ｖccが２０Ｖとなっているため、Ｖcc1 はＶccよりも低い電圧を印加することになる。
【００４８】
図７および図８は、逆バイアス電圧Ｖcc1 を（３）式に従って設定した場合の（ａ）走査線Ａ（１）の電圧、（ｂ）電流源６（２）から信号線Ｂ（２）に出力される電流、（ｃ）ＥＬ素子Ｅ（１，２）の発光輝度の波形を示している。図７は、駆動電流のパルス幅を制御することにより階調制御を実行する場合を示し、図８は、駆動電流の大きさを制御することにより階調制御を実行する場合を示している。（ｂ）電流波形および（ｃ）発光輝度波形において、実線は高輝度発光時の波形を示しており、破線は低輝度発光時の波形を示している。
【００４９】
期間ＲＢから期間Ｈ１に切り替わると、ＥＬ素子Ｅ（１，２）に印加される電圧は切り替え直後から定常的な整定電圧ＶＥとなるため、電流源６（２）の出力電流（一例として１５０μＡ）がＥＬ素子Ｅ（１，２）にそのまま流れ、切り替え当初からＥＬ素子Ｅ（１，２）は定電流駆動される。その結果、図７に示すように、期間ＲＢから期間Ｈ１への切り替え当初からＥＬ素子Ｅ（１，２）の発光輝度が目標輝度に一致し、電流源６（２）の出力電流のパルス幅に比例して発光輝度を増減することができるようになる。
【００５０】
また、図８に示すように駆動電流の大きさを制御して発光輝度を増減する場合には、電流源６（２）は発光輝度に応じた大きさの電流を出力し、それに伴ってＥＬ素子Ｅ（１，２）が定常的に負担することとなる電圧ＶＥも増減する。このため、逆バイアス電圧Ｖcc1 も上記（３）式に従って増減制御する必要がある。このように電流源６（２）の電流および逆バイアス電圧Ｖcc1 を制御すれば、期間ＲＢから期間Ｈ１への切り替え当初からＥＬ素子Ｅ（１，２）の発光輝度を目標輝度に一致させることができ、電流源６（２）の出力電流の大きさに比例して発光輝度を増減することができるようになる。
【００５１】
以上の作用は、期間ＲＢから期間Ｈ１への切り替えに限らず、期間Ｒ２から期間Ｈ２への切り替え、…、期間Ｒｍ−１から期間Ｈｍへの切り替え等についても同様となる。また、走査線の数ｍがある程度多い場合（例えば６４本）、逆バイアス電圧Ｖcc1 を近似的に（４）式に従って設定した場合でもほぼ同様となる。また、逆バイアス電圧Ｖcc1 が（３）式または（４）式から多少ずれても上記作用が直ちに消失することはない。
【００５２】
ただし、逆バイアス電圧Ｖcc1 を下げ過ぎると、非選択の走査線Ａに接続されたＥＬ素子Ｅの印加電圧がＥＬ素子Ｅの発光しきい値ＶＬ以上となって発光してしまうため、逆バイアス電圧Ｖcc1 として設定できる下限値Ｖcc1(min)は、以下の（５）式のようになる。
Ｖcc1(min)＝ＶＥ−ＶＬ            …（５）
【００５３】
このように各フレームについて、期間ＨＢではＥＬ素子Ｅに対して十分な大きさの逆バイアス電圧Ｖccを印加し、その他の期間Ｈ１〜Ｈｍでは非発光のＥＬ素子Ｅに対して電圧Ｖccよりも低い逆バイアス電圧Ｖcc1 を印加すると、逆バイアス電圧Ｖccは１フレームに１回だけかかることになるので、ＥＬ素子Ｅの絶縁部へのダメージが軽減され、絶縁部での陰極と陽極の短絡の発生を防止することができる。実験結果によると、絶縁部での陰極と陽極の短絡の発生する画素の割合は、従来方法でＶcc＝２０Ｖとした場合と、本発明の方法でＶcc1 ＝１３Ｖ、Ｖcc＝２０Ｖとした場合で、７５％から０％に減少していることが確認できた。
【００５４】
さらに、本実施形態の駆動方法によれば、経時変化によりＥＬ素子Ｅが高抵抗化しても、その影響による輝度の低下を抑制でき、従来構成の表示装置に比べて輝度半減寿命を延ばすことができる。図９は、発光輝度の時間変化を示す実験結果である。図中、実線が本実施形態の場合を示し、破線が従来構成の場合を示している。この実験は、Ｖcc＝２０Ｖ、Ｖcc1 ＝１３Ｖ、ｍ＝６４、ｎ＝１２８の場合であって、有機ＥＬパネルと定電流ドライバを用いて、フレーム周波数１２０Ｈｚ、ＴＲ＝１０μｓｅｃ、ＴＨ＝１／１２０／６４ｓｅｃで、初期輝度２００Ｃｄ／ｍ２にて８５℃雰囲気中で輝度測定をしたものである。従来方法に比べて、約１．６倍の輝度半減寿命が得られた。
【００５５】
以上説明したように、本実施形態の表示装置７は、各フレームごとに全てのＥＬ素子Ｅの発光を停止させる期間ＨＢを設け、その期間ＨＢにおいては全ての走査線Ａに逆バイアス電圧Ｖccを印加するとともに全ての信号線Ｂをグランドに接続して全てのＥＬ素子Ｅに逆バイアス電圧Ｖccを印加するので、表示パネル１の不良箇所の陰極を破断屈曲等させてリーク電流を抑制することができる。
【００５６】
この場合の逆バイアス電圧Ｖccは、期間Ｈ１〜Ｈｍに印加する逆バイアス電圧Ｖcc1 とは異なり、リーク電流を抑制するのに十分な大きさの電圧に設定することができる。このため、表示パネル１の発光不良を確実に防止することができる。逆バイアス電圧Ｖccが印加されるのは、１フレーム周期に１回のみであるが、発明者の知見によりリーク電流を抑制するためには、１回で十分であることがわかっている。また、期間Ｈ１〜Ｈｍおよび期間ＨＢについてそれぞれリセット期間Ｒ１〜ＲｍおよびＲＢを設けたので、ＥＬ素子Ｅの発光立ち上がり速度を高めることができる。
【００５７】
その一方で、期間Ｈ１〜Ｈｍにおいては、非選択の走査線Ａに印加する逆バイアス電圧Ｖcc1 を上記逆バイアス電圧Ｖccよりも低い電圧、すなわち（３）式または（４）式に示す電圧に設定したので、リセット期間Ｒから走査期間Ｈへの切り替え直後における過渡現象を抑制でき、切り替え当初からＥＬ素子Ｅを定電流駆動することができる。その結果、駆動電流のパルス幅または大きさを制御して、低輝度から高輝度までの広範囲において発光輝度を精度よく制御することが可能となる。また、経時変化によりＥＬ素子Ｅが高抵抗化しても、その影響による輝度の低下を抑制でき、従来構成の表示装置に比べて輝度半減寿命を延ばすことができる。さらに、本駆動方法では大きな逆バイアス電圧Ｖccは１フレームに１回だけかかることになるので、ＥＬ素子Ｅの絶縁部へのダメージが軽減され、絶縁部での陰極と陽極の短絡の発生を防止することができる。
【００５８】
（第２の実施形態）
次に、本発明の第２の実施形態について図１０および図１１を参照しながら説明する。
図１０は、表示装置の電気的構成を示すもので、図１と同一構成部分には同一符号を付して説明を省略する。この図１０に示す表示装置１１は、図１に示す表示装置７に対し走査ドライバＩＣの構成が異なっている。
【００５９】
すなわち、走査ドライバＩＣ１２は、各走査線Ａ（１）〜Ａ（ｍ）について走査スイッチ１３（１）〜１３（ｍ）を有しており、これらの走査スイッチ１３（１）〜１３（ｍ）は、各走査線Ａ（１）〜Ａ（ｍ）をそれぞれ電源線１５側またはグランド側に接続するようになっている。また、走査ドライバＩＣ１２の外部には、上記電源線１５を逆バイアス電圧Ｖcc1 側またはＶcc側に接続する電源選択スイッチ１６が設けられている。これらの走査スイッチ１３（１）〜１３（ｍ）および電源選択スイッチ１６は、本発明でいう陰極側駆動部に相当し、制御部１０からの切替信号により切り替え制御されている。逆バイアス電圧Ｖcc1 およびＶccは、第１の実施形態で説明したとおりの電圧である。さらに、本実施形態ではＶccを信号ドライバＩＣ４にも供給している。
【００６０】
図１１は、電源選択スイッチ１６の電気的構成を示している。逆バイアス電圧Ｖccを有する電源線１７と電源線１５との間には、ダイオード１８とＭＯＳＦＥＴ１９との直列回路並びにＭＯＳＦＥＴ２０と抵抗２１との直列回路が接続されている。このうちＭＯＳＦＥＴ１９のゲートには、抵抗２２を介して制御部１０から切替信号Ｓａが与えられている。また、電源線１７とグランドとの間には抵抗２３と２４とが直列に接続されており、その共通接続点はＭＯＳＦＥＴ２０のゲートに接続されるとともにコンデンサ２５を介してグランドに接続されている。
【００６１】
この構成において、切替信号ＳａがＨレベル（Ｖcc）の場合には、ＭＯＳＦＥＴ１９がオフとなり、電源線１５には逆バイアス電圧Ｖccに対しＭＯＳＦＥＴ２０のソース・ドレイン間電圧と抵抗２１による電圧降下分だけ低い逆バイアス電圧Ｖcc1 が出力される。この場合、ＭＯＳＦＥＴ２０のソース・ドレイン間電圧は、素子定数によって定まる。一方、切替信号ＳａがＬレベル（０Ｖ）の場合には、ＭＯＳＦＥＴ１９がオンとなり、電源線１５にはダイオード１８およびＭＯＳＦＥＴ１９を通して逆バイアス電圧Ｖccにほぼ等しい電圧が出力される。
【００６２】
本実施形態において、走査線Ａ（１）〜Ａ（ｍ）への電圧印加タイミングおよび信号線Ｂ（１）〜Ｂ（ｎ）への電流供給タイミングは第１の実施形態と同様となる。すなわち、期間ＲＢから期間Ｒｍ（図５参照）の間においては、電源選択スイッチ１６を電圧Ｖcc1 側に切り替えた状態とし、走査期間Ｈ１、Ｈ２、…、Ｈｍではスイッチ１３（１）、１３（２）、…、１３（ｍ）を順次グランド側に切り替え、リセット期間ＲＢ、Ｒ１、Ｒ２、…、Ｒｍではスイッチ１３（１）〜１３（ｍ）を全てグランド側に切り替える。一方、期間ＨＢにおいては、電源選択スイッチ１６を電圧Ｖcc側に切り替えるとともに、スイッチ１３（１）〜１３（ｍ）を全て電源線１５側に切り替える。
【００６３】
以上説明した本実施形態によっても、発光輝度について第１の実施形態と同様の作用および効果が得られる。加えて、走査ドライバＩＣ１２を従来のもの（図１３参照）と同様の構成とすることができるので、新たな設計に要する時間や費用を削減することが可能となる利点がある。また、走査ドライバＩＣ１２の入力側電源を第１の逆バイアス電圧Ｖccとし、さらにこの第１の逆バイアス電圧Ｖccから降圧した電圧を第２の逆バイアスＶcc1 として用いることができるため、Ｖcc、Ｖcc1 の２系統の電圧を別々に昇圧して作る回路を用いる場合よりもコストダウンが図れる。さらに、本実施形態では、Ｖccを信号ドライバＩＣ４の電源としても使用している。そのため、信号ドライバＩＣ４の電源回路を別途設ける場合よりもコストダウンが図れる。
【００６４】
（第３の実施形態）
次に、本発明の第３の実施形態について図１２を参照しながら説明する。
本実施形態の構成は、上述した第１または第２の実施形態と同じであるが、走査線Ａ（１）〜Ａ（ｍ）への電圧印加方法が一部異なっている。図１２は、走査線Ａ（１）、Ａ（２）、Ａ（ｍ−１）、Ａ（ｍ）の電圧波形を示すもので、期間Ｒ２と期間Ｈｍ−１との間に存在する期間Ｈ３、Ｒ３、…、Ｈｍ−２、Ｒｍ−２については省略されている。
【００６５】
この図１２に示すように、本実施形態では走査周期ごとのリセット期間Ｒが設けられておらず、ある走査周期から次の走査周期に直ちに切り替えられる。リセット期間Ｒは、前の走査周期においてＥＬ素子Ｅの寄生容量に蓄積された電荷を放電して、次の走査周期における発光立ち上がり速度を高めることを目的として設けられたものである。これに対し、本実施形態では走査周期Ｈ１〜Ｈｍの間でＥＬ素子Ｅに印加する逆バイアス電圧をＶccからＶcc1 に下げたので、リセット期間Ｒを設けなくても発光立ち上がり速度が改善される。これにより、特にリセット期間Ｒを設けることなく、より簡単な切り替えタイミングを用いて制御することが可能となる。
【００６６】
（その他の実施形態）
なお、本発明は上記し且つ図面に示す各実施形態に限定されるものではなく、例えば以下のように変形または拡張が可能である。
各実施形態において、第１の逆バイアス電圧Ｖccは、リーク電流を抑制するのに十分な大きさの電圧に設定すればよい。また、第２の逆バイアス電圧Ｖcc1 は、走査線Ａ（１）〜Ａ（ｍ）または信号線Ｂ（１）〜Ｂ（ｎ）について走査スイッチ９（１）〜９（ｍ）、１３（１）〜１３（ｍ）または駆動スイッチ５（１）〜５（ｎ）を切り替えた時に過渡現象の発生を抑制するのに適当な電圧に設定すればよい。
【００６７】
信号ドライバＩＣ４に設けられた電流源６（１）〜６（ｎ）に替えて電圧源を用いてもよい。ただし、発光素子の高抵抗化の影響を低減するには電流源の方が好ましい構成となる。
発光素子は、有機ＥＬ素子Ｅに限ることなく、電流駆動型の発光素子であれば適用が可能である。
【図面の簡単な説明】
【００６８】
【図１】本発明の第１の実施形態を示す表示装置の電気的構成を示す図（期間Ｈ１）
【図２】図１相当図（期間Ｒ１〜Ｒｍ、ＲＢ）
【図３】図１相当図（期間Ｈｍ）
【図４】図１相当図（期間ＨＢ）
【図５】走査線Ａ（１）、Ａ（２）、Ａ（ｍ−１）、Ａ（ｍ）の電圧波形を示す図
【図６】走査線Ａ（１）〜Ａ（ｍ）および信号線Ｂ（２）ついての切り替えの前後の状態を示す図
【図７】駆動電流のパルス幅を制御した場合の（ａ）走査線の電圧、（ｂ）電流源から信号線に出力される電流、（ｃ）ＥＬ素子の発光輝度の波形を示す図
【図８】駆動電流の大きさを制御した場合の図７相当図
【図９】発光輝度の時間変化を示す図
【図１０】本発明の第２の実施形態を示す図１相当図
【図１１】電源選択スイッチの電気的構成を示す図
【図１２】本発明の第３の実施形態を示す図５相当図
【図１３】従来技術を示す図１相当図
【図１４】図５相当図
【図１５】逆バイアス電圧と発光不良画素の発生確率との関係を示す図
【図１６】図７相当図
【図１７】図８相当図
【図１８】隣接する２つのＥＬ素子の間隙部分の断面構造を示す図（正常時）
【図１９】隣接する２つのＥＬ素子の間隙部分の断面構造を示す図（短絡時）
【図２０】１フレーム中における逆バイアスパルスの印加回数と短絡の発生確率との関係を示す図
【図２１】経時劣化が生じる前後における（ａ）走査線の電圧、（ｂ）電流源から信号線に出力される電流、（ｃ）ＥＬ素子の発光輝度の波形を示す図
【図２２】ＥＬ素子の発光輝度の時間変化を示す図
【符号の説明】
【００６９】
図面中、１は表示パネル、４は信号ドライバＩＣ（陽極側駆動部）、６（１）〜６（ｎ）は電流源(駆動電源)、７、１１は表示装置、８は走査ドライバＩＣ（陰極側駆動部）、Ａ（１）〜Ａ（ｍ）は走査線（走査電極）、Ｂ（１）〜Ｂ（ｎ）は信号線（信号電極）、Ｅ（１，１）〜Ｅ（ｍ，ｎ）は有機ＥＬ素子（発光素子）である。
【図１】
2005091717.tif 000003
【図２】
2005091717.tif 000004
【図３】
2005091717.tif 000005
【図４】
2005091717.tif 000006
【図５】
2005091717.tif 000007
【図６】
2005091717.tif 000008
【図７】
2005091717.tif 000009
【図８】
2005091717.tif 000010
【図９】
2005091717.tif 000011
【図１０】
2005091717.tif 000012
【図１１】
2005091717.tif 000013
【図１２】
2005091717.tif 000014
【図１３】
2005091717.tif 000015
【図１４】
2005091717.tif 000016
【図１５】
2005091717.tif 000017
【図１６】
2005091717.tif 000018
【図１７】
2005091717.tif 000019
【図１８】
2005091717.tif 000020
【図１９】
2005091717.tif 000021
【図２０】
2005091717.tif 000022
【図２１】
2005091717.tif 000023
【図２２】
2005091717.tif 000024
【手続補正書】
【提出日】平成16年3月26日(2004.3.26)
【手続補正１】
【補正対象書類名】特許請求の範囲
【補正対象項目名】全文
【補正方法】変更
【補正の内容】
【特許請求の範囲】
【請求項１】
複数の走査電極と信号電極の各交点に発光素子がマトリクス状に配置されてなる表示パネルと、
前記発光素子の発光を停止させる発光停止期間を設け、その発光停止期間においては前記発光素子に第１の逆バイアス電圧を印加し、一方、発光期間においては非発光の発光素子に第２の逆バイアス電圧を印加し、さらに、水平走査周期ごとに走査電極および信号電極を同電位に設定するリセット期間を設けるように構成された陽極側駆動部および陰極側駆動部とを備え、
前記第１の逆バイアス電圧は、前記発光素子の自己修復が発生する電圧よりも大きく、且つ、前記第２の逆バイアス電圧よりも大きい電圧に設定されており、
前記第２の逆バイアス電圧は、前記駆動された発光素子が定常的に負担することとなる電圧をＶＥ、前記発光素子の発光しきい値電圧をＶＬとしたときに、（ＶＥ−ＶＬ）よりも高い電圧に設定されていることを特徴とする表示装置。
【請求項２】
複数の走査電極と信号電極の各交点に発光素子がマトリクス状に配置されてなる表示パネルと、
前記発光素子の発光を停止させる発光停止期間を設け、その発光停止期間においては前記発光素子に第１の逆バイアス電圧を印加し、一方、発光期間においては非発光の発光素子に第２の逆バイアス電圧を印加し、さらに、水平走査周期ごとに走査電極および信号電極を同電位に設定するリセット期間を設けるように構成された陽極側駆動部および陰極側駆動部とを備え、
前記第１の逆バイアス電圧は、前記発光素子の自己修復が発生する電圧よりも大きく、且つ、前記第２の逆バイアス電圧よりも大きい電圧に設定されており、
前記第２の逆バイアス電圧は、前記駆動された発光素子が定常的に負担することとなる電圧をＶＥ、走査電極の数をｍとしたときに、ｍ／（ｍ−１）・ＶＥにほぼ等しい電圧に設定されていることを特徴とする表示装置。
【請求項３】
前記陽極側駆動部および陰極側駆動部は、前記発光停止期間において、走査電極に第１の逆バイアス電圧を印加するとともに信号電極をグランドに接続することを特徴とする請求項１または２記載の表示装置。
【請求項４】
前記陽極側駆動部および陰極側駆動部は、前記発光期間において、選択した走査電極をグランドに接続し、非選択の走査電極に第２の逆バイアス電圧を印加するとともに、発光させる発光素子の信号電極を駆動電源に接続し、非発光の発光素子の信号電極をグランドに接続することを特徴とする請求項１ないし３の何れかに記載の表示装置。
【請求項５】
前記陽極側駆動部および陰極側駆動部は、各フレームについて前記発光停止期間を設けることを特徴とする請求項１ないし４の何れかに記載の表示装置。
【請求項６】
前記発光停止期間は、フレームの終了後、次のフレームが始まる前に設けることを特徴とする請求項１ないし５の何れかに記載の表示装置。
【請求項７】
信号電極に接続される駆動電源は定電流源であることを特徴とする請求項１ないし６の何れかに記載の表示装置。
【請求項８】
前記陽極側駆動部および陰極側駆動部は、前記リセット期間において、走査電極および信号電極をグランド電位とすることを特徴とする請求項１ないし７の何れかに記載の表示装置。
【請求項９】
前記第１の逆バイアス電圧は、前記定電流源を構成する電源電圧に等しいことを特徴とする請求項７記載の表示装置。
【請求項１０】
前記陽極側駆動部および陰極側駆動部は、各走査電極に接続された走査スイッチを切り替えることにより前記第１および第２の逆バイアス電圧の切り替えを行うことを特徴とする請求項１ないし９の何れかに記載の表示装置。
【請求項１１】
前記陽極側駆動部および陰極側駆動部は、各走査電極に接続された走査スイッチに供給する電圧を切り替えることにより、前記第１および第２の逆バイアス電圧の切り替えを行うことを特徴とする請求項１ないし９の何れかに記載の表示装置。
【請求項１２】
前記陽極側駆動部および陰極側駆動部は、各水平走査周期において前記発光素子に供給する駆動電流の時間幅を制御することにより階調制御を実行するように構成されていることを特徴とする請求項１ないし１１の何れかに記載の表示装置。
【請求項１３】
前記陽極側駆動部および陰極側駆動部は、各水平走査周期において前記発光素子に供給する駆動電流の大きさを制御することにより階調制御を実行するように構成されていることを特徴とする請求項１ないし１１の何れかに記載の表示装置。
【請求項１４】
前記発光素子は有機ＥＬ素子であることを特徴とする請求項１ないし１３の何れかに記載の表示装置。
【請求項１５】
複数の走査電極と信号電極の各交点に発光素子がマトリクス状に配置されてなる表示パネルの駆動方法において、
前記発光素子の発光期間に、非発光の発光素子に対し、駆動された発光素子が定常的に負担することとなる電圧をＶＥ、前記発光素子の発光しきい値電圧をＶＬとして（ＶＥ−ＶＬ）よりも高い第２の逆バイアス電圧を印加し、
前記発光素子の発光を停止させる発光停止期間に、前記発光素子に対し、前記発光素子の自己修復が発生する電圧よりも大きく、且つ、前記第２の逆バイアス電圧よりも大きい第１の逆バイアス電圧を印加し、
水平走査周期ごとに設けられたリセット期間に、走査電極および信号電極を同電位にすることを特徴とする表示パネルの駆動方法。
【請求項１６】
複数の走査電極と信号電極の各交点に発光素子がマトリクス状に配置されてなる表示パネルの駆動方法において、
前記発光素子の発光期間に、非発光の発光素子に対し、駆動された発光素子が定常的に負担することとなる電圧をＶＥ、走査電極の数をｍとしてｍ／（ｍ−１）・ＶＥにほぼ等しい第２の逆バイアス電圧を印加し、
前記発光素子の発光を停止させる発光停止期間に、前記発光素子に対し、前記発光素子の自己修復が発生する電圧よりも大きく、且つ、前記第２の逆バイアス電圧よりも大きい第１の逆バイアス電圧を印加し、
水平走査周期ごとに設けられたリセット期間に、走査電極および信号電極を同電位にすることを特徴とする表示パネルの駆動方法。
【請求項１７】
前記発光停止期間において、走査電極に第１の逆バイアス電圧を印加するとともに信号電極をグランドに接続することを特徴とする請求項１５または１６記載の表示パネルの駆動方法。
【請求項１８】
前記発光期間において、選択した走査電極をグランドに接続し、非選択の走査電極に第２の逆バイアス電圧を印加するとともに、発光させる発光素子の信号電極を駆動電源に接続し、非発光の発光素子の信号電極をグランドに接続することを特徴とする請求項１５ないし１７の何れかに記載の表示パネルの駆動方法。
【請求項１９】
各フレームについて前記発光停止期間を設けることを特徴とする請求項１５ないし１８の何れかに記載の表示パネルの駆動方法。
【請求項２０】
前記発光停止期間は、フレームの終了後、次のフレームが始まる前に設けることを特徴とする請求項１５ないし１９の何れかに記載の表示パネルの駆動方法。
【請求項２１】
信号電極に接続される駆動電源は定電流源であることを特徴とする請求項１５ないし２０の何れかに記載の表示パネルの駆動方法。
【請求項２２】
前記リセット期間において、走査電極および信号電極をグランド電位とすることを特徴とする請求項１５ないし２１の何れかに記載の表示パネルの駆動方法。
【請求項２３】
前記第１の逆バイアス電圧は、前記定電流源を構成する電源電圧に等しいことを特徴とする請求項２１記載の表示パネルの駆動方法。
【請求項２４】
各走査電極に接続された走査スイッチを切り替えることにより前記第１および第２の逆バイアス電圧の切り替えを行うことを特徴とする請求項１５ないし２３の何れかに記載の表示パネルの駆動方法。
【請求項２５】
各走査電極に接続された走査スイッチに供給する電圧を切り替えることにより、前記第１および第２の逆バイアス電圧の切り替えを行うことを特徴とする請求項１５ないし２３の何れかに記載の表示パネルの駆動方法。
【請求項２６】
各水平走査周期において前記発光素子に供給する駆動電流の時間幅を制御することにより階調制御を実行するように構成されていることを特徴とする請求項１５ないし２５の何れかに記載の表示パネルの駆動方法。
【請求項２７】
各水平走査周期において前記発光素子に供給する駆動電流の大きさを制御することにより階調制御を実行するように構成されていることを特徴とする請求項１５ないし２５の何れかに記載の表示パネルの駆動方法。
【請求項２８】
前記発光素子は有機ＥＬ素子であることを特徴とする請求項１５ないし２７の何れかに記載の表示パネルの駆動方法。
【手続補正２】
【補正対象書類名】明細書
【補正対象項目名】０００４
【補正方法】変更
【補正の内容】
【０００４】
例えば、ＥＬ素子Ｅ（１，２）とＥＬ素子Ｅ（１，ｎ−１）とを発光させる場合には、図１３に示すように、走査スイッチ３（１）をグランド側に切り替えるとともに、走査スイッチ３（２）〜３（ｎ）を逆バイアス電圧Ｖcc側に切り替える。そして、駆動スイッチ５（２）、５（ｎ−１）をそれぞれ電流源６（２）、６（ｎ−１）側に切り替えるとともに、駆動スイッチ５（１）、５（３）〜５（ｎ−２）、５（ｎ）をグランド側に切り替える。その結果、ＥＬ素子Ｅ（１，２）およびＥ（１，ｎ−１）のみに駆動電流が供給されて発光するようになる。このような走査を高速で行うことにより、任意の位置のＥＬ素子Ｅを発光させ、人間の目には複数のＥＬ素子Ｅが同時に発光しているように視認させることにより表示パネル１に画像データを表示させることができる。
【手続補正３】
【補正対象書類名】明細書
【補正対象項目名】００１９
【補正方法】変更
【補正の内容】
【００１９】
請求項１、２、１５、１６に記載した手段によれば、発光素子の発光を停止させる期間を設け、その発光停止期間においては発光素子に第１の逆バイアス電圧を印加するので発光層の厚みが薄い箇所または陽極と陰極とが接触している箇所にリーク電流が集中して流れ、当該不良部分の陰極を破断屈曲等させてリーク電流を抑制することができる。これにより、表示パネル全体としての発光不良を防ぐことができる。この第１の逆バイアス電圧としては、上記リーク電流を抑制するのに必要となる十分な大きさの電圧とすればよい。
【手続補正４】
【補正対象書類名】明細書
【補正対象項目名】００２２
【補正方法】変更
【補正の内容】
【００２２】
また、第２の逆バイアス電圧は第１の逆バイアス電圧より小さく設定できるようになり、第１の逆バイアス電圧がかかる回数を１フレームに１回と抑えることができるので、発光素子の絶縁部での陽極と陰極の短絡現象を抑制することができる。その結果、発光不良を防止しつつ、発光輝度を精度よく制御し、さらに絶縁部での陽極と陰極の短絡現象を抑制することができる。
水平走査周期ごとに走査電極および信号電極を同電位に設定するリセット期間を設けているので、次の走査周期への切り替え前に発光素子の寄生容量に蓄積されている電荷を放電することができ、切り替えから発光素子が発光するまでの立ち上がり時間を短縮して高速走査をすることが可能になる。リセット期間においては、走査電極および信号電極をグランド電位とするとよい。
第１の逆バイアス電圧は、第２の逆バイアス電圧より大きいので、発光不良を防止しつつ、発光輝度を精度よく制御し、さらに絶縁部での陽極と陰極の短絡現象を抑制することができる。
第１の逆バイアス電圧は、発光素子の自己修復が発生する電圧よりも大きく設定されているので、発光層の厚みが薄い箇所または陽極と陰極とが接触している箇所にリーク電流が集中して流れ、当該不良部分の陰極を破断屈曲等させてリーク電流を抑制することができる。
請求項１、１５に記載した手段によれば、発光素子のしきい値電圧をＶＬとして、第２の逆バイアス電圧Ｖcc1 を（ＶＥ−ＶＬ）よりも高く設定したので、非選択の走査電極に接続された発光素子にはしきい値電圧ＶＬ以上の電圧が印加されることがなく、誤発光を防ぐことができる。
請求項２、１６に記載した手段によれば、上記リセット期間を設けた場合、走査電極の数をｍ、第２の逆バイアス電圧をＶcc1 とすれば、切り替え直後の過渡的な信号電極の電圧は（ｍ−１）／ｍ・Ｖcc1 となる。従って、駆動された発光素子が定常的に負担することとなる電圧をＶＥとすれば、第２の逆バイアス電圧Ｖcc1 はｍ／（ｍ−１）・ＶＥに等しく設定すればよい。なお、走査電極の数が多い場合には、第２の逆バイアス電圧Ｖcc1 を近似的にＶＥに設定してもよい。
このようにすると、リセット期間から次の走査電極の走査期間に切り替わった時に、発光素子の寄生容量間で生じる過渡現象の発生を抑えることができる。すなわち、各信号電極に着目すると、リセット期間において発光素子の寄生容量には電荷の蓄積はなく、次の走査期間への切り替えにより、選択された走査電極だけがグランドに接続され、その他の非選択の走査電極は全て第２の逆バイアス電圧側に接続されるため、切り替え直後の過渡的な信号電極の電圧は第２の逆バイアス電圧にほぼ等しくなる。従って、この第２の逆バイアス電圧を上記発光素子が定常的に負担することとなる電圧にほぼ等しく設定すれば、発光させる発光素子には切り替え直後から定常的な電圧が印加され、切り替え直後から定電流駆動が可能となって予定した発光輝度を得ることができるようになる。
【手続補正５】
【補正対象書類名】明細書
【補正対象項目名】００２３
【補正方法】変更
【補正の内容】
【００２３】
請求項３、４、１７、１８に記載した手段によれば、発光停止期間においては、走査電極に第１の逆バイアス電圧を印加するとともに信号電極をグランドに接続し、発光期間においては、選択した走査電極をグランドに接続し、非選択の走査電極に第２の逆バイアス電圧を印加するとともに、発光させる発光素子の信号電極を駆動電源に接続し、非発光の発光素子の信号電極をグランドに接続するように駆動制御する。
【手続補正６】
【補正対象書類名】明細書
【補正対象項目名】００２４
【補正方法】変更
【補正の内容】
【００２４】
請求項５、６、１９、２０に記載した手段によれば、各フレームについて発光停止期間を備えており、その期間内においては走査電極に対し、表示パネル内の不良箇所のリーク電流を抑制するのに必要となる十分な大きさの第１の逆バイアス電圧を印加できるので、発光不良を確実に防止することができる。この場合、発光停止期間を、フレームの終了後、次のフレームが始まる前に設けるとよい。
【手続補正７】
【補正対象書類名】明細書
【補正対象項目名】００２５
【補正方法】変更
【補正の内容】
【００２５】
請求項７、２１に記載した手段によれば、発光素子を発光させるために定電流源を用いているので、発光素子を定電流駆動することができ、電源電圧の変動や経時変化による発光素子の高抵抗化にかかわらず安定した輝度を得ることができる。特に本手段によれば、切り替え直後の過渡現象の発生が抑制されているので、切り替え直後から定電流駆動を行うことができ、発光素子の高抵抗化の影響を受けにくく、従来構成の表示装置に対し輝度半減寿命を延ばすことができる。
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】削除
【補正の内容】
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】変更
【補正の内容】
【００３３】
請求項９、２３に記載した手段によれば、第１の逆バイアス電圧は定電流源を構成する電源電圧に等しいので、さらに電圧変換手段等を設ける必要がなくコストダウンが図れる。
【手続補正１６】
【補正対象書類名】明細書
【補正対象項目名】００３４
【補正方法】変更
【補正の内容】
【００３４】
請求項１０、１１、２４、２５に記載した手段によれば、各走査電極に接続された走査スイッチを切り替えることまたは各走査電極に接続された走査スイッチに供給する電圧を切り替えることにより第１および第２の逆バイアス電圧の切り替えを行うことができる。
【手続補正１７】
【補正対象書類名】明細書
【補正対象項目名】００３５
【補正方法】変更
【補正の内容】
【００３５】
請求項１２、２６に記載した手段によれば、各水平走査周期において駆動電源から発光素子に供給する駆動電流の時間幅を変化させることにより、その変化に対応して（例えば時間幅に比例して）発光輝度を制御することができる。
【手続補正１８】
【補正対象書類名】明細書
【補正対象項目名】００３６
【補正方法】変更
【補正の内容】
【００３６】
請求項１３、２７に記載した手段によれば、各水平走査周期において駆動電源から発光素子に供給する駆動電流の大きさを変化させることにより、その変化に対応して（例えば駆動電流の大きさに比例して）発光輝度を制御することができる。
【手続補正１９】
【補正対象書類名】明細書
【補正対象項目名】００３７
【補正方法】変更
【補正の内容】
【００３７】
請求項１４、２８に記載した手段によれば、駆動電流または印加電圧に応じて発光輝度が変化する有機ＥＬ素子について、発光輝度を精度よく制御することができる。また、経時劣化により高抵抗化する特性を有する有機ＥＬ素子について、輝度半減寿命を極力延ばすことができる。
【手続補正２０】
【補正対象書類名】明細書
【補正対象項目名】００６４
【補正方法】変更
【補正の内容】
【００６４】
（本願発明に関連する実施形態）
次に、本願発明に関連する実施形態について図１２を参照しながら説明する。
本実施形態では、走査周期ごとのリセット期間Ｒが設けられておらず、従って、本実施形態は本願発明に関連する技術を示すものである。
本実施形態の構成は、上述した第１または第２の実施形態と同じであるが、走査線Ａ（１）〜Ａ（ｍ）への電圧印加方法が一部異なっている。図１２は、走査線Ａ（１）、Ａ（２）、Ａ（ｍ−１）、Ａ（ｍ）の電圧波形を示すもので、期間Ｒ２と期間Ｈｍ−１との間に存在する期間Ｈ３、Ｒ３、…、Ｈｍ−２、Ｒｍ−２については省略されている。
【手続補正２１】
【補正対象書類名】明細書
【補正対象項目名】００６８
【補正方法】変更
【補正の内容】
【００６８】
【図１】本発明の第１の実施形態を示す表示装置の電気的構成を示す図（期間Ｈ１）
【図２】図１相当図（期間Ｒ１〜Ｒｍ、ＲＢ）
【図３】図１相当図（期間Ｈｍ）
【図４】図１相当図（期間ＨＢ）
【図５】走査線Ａ（１）、Ａ（２）、Ａ（ｍ−１）、Ａ（ｍ）の電圧波形を示す図
【図６】走査線Ａ（１）〜Ａ（ｍ）および信号線Ｂ（２）ついての切り替えの前後の状態を示す図
【図７】駆動電流のパルス幅を制御した場合の（ａ）走査線の電圧、（ｂ）電流源から信号線に出力される電流、（ｃ）ＥＬ素子の発光輝度の波形を示す図
【図８】駆動電流の大きさを制御した場合の図７相当図
【図９】発光輝度の時間変化を示す図
【図１０】本発明の第２の実施形態を示す図１相当図
【図１１】電源選択スイッチの電気的構成を示す図
【図１２】本発明に関連する実施形態を示す図５相当図
【図１３】従来技術を示す図１相当図
【図１４】図５相当図
【図１５】逆バイアス電圧と発光不良画素の発生確率との関係を示す図
【図１６】図７相当図
【図１７】図８相当図
【図１８】隣接する２つのＥＬ素子の間隙部分の断面構造を示す図（正常時）
【図１９】隣接する２つのＥＬ素子の間隙部分の断面構造を示す図（短絡時）
【図２０】１フレーム中における逆バイアスパルスの印加回数と短絡の発生確率との関係を示す図
【図２１】経時劣化が生じる前後における（ａ）走査線の電圧、（ｂ）電流源から信号線に出力される電流、（ｃ）ＥＬ素子の発光輝度の波形を示す図
【図２２】ＥＬ素子の発光輝度の時間変化を示す図